(57)【要約】
【課題】　寝台上で安定に固定することができ、特に組み立てや分解が容易で、清潔に利用できる、組み立て式浴槽を提供する。
【解決手段】 寝台側面に立設される支柱４１−４４と、寝台上面に箱状の空間２０を形成するように立設される壁材３０と、寝台の上面と壁材３０に接し、上部に開口を備え、箱状の空間２０に湯船を形成する、柔軟かつ折り畳み可能な袋状シート２１を備える。袋状シート２１の、開口の縁部の複数箇所には、支柱もしくは壁材に固定するリング２２とフック５１を設ける。壁材３０は、前枠３１と後枠３２と横枠３３及び３４を組み合わせて構成される。支柱４１−４４の高さを調整することによって、袋状シート２１の開口縁部２３がほぼ水平に保持される。
【選択図】　図３
0003099416.tif 000002
【実用新案登録請求の範囲】
【請求項１】
　寝台側面に立設される支柱と、
　前記寝台上面に箱状の空間を形成するように立設される壁材と、
　前記寝台の上面と前記壁材に接し、上部に開口を備え、前記箱状の空間に湯船を形成する、柔軟かつ折り畳み可能な袋状シートと、
　前記袋状シートの、前記開口の縁部の複数箇所を、前記支柱もしくは前記壁材に固定する固定手段を備えたことを特徴とする組み立て式浴槽。
【請求項２】
　請求項１に記載の組み立て式浴槽において、
　前記少なくとも一対の支柱は、寝台の側面または全面または後面に密着して、これら一対の支柱で寝台を挟むように位置決めされて、立設され、前記壁材は、この支柱に壁材の支持高さを調整自在に支持固定されることを特徴とする組み立て式浴槽。
【請求項３】
　請求項１に記載の組み立て式浴槽において、
　前記壁材は、互いに着脱機構を介して連結された、複数の枠からなることを特徴とする
【請求項４】
請求項１に記載の組み立て式浴槽において、
　前記支柱は、寝台の脚からなることを特徴とする組み立て式浴槽。
【請求項５】
請求項１に記載の組み立て式浴槽において、
　前記袋状シートは２枚重ねで使用され、内側の袋状シートは、外側の袋状シートの開口縁部を越えて、外側の袋状シートを覆うサイズとし、外側の袋状シートよりも柔軟で薄い素材から成ることを特徴とする組み立て式浴槽。
【請求項６】
請求項１に記載の組み立て式浴槽において、
　前記袋状シートは２枚重ねで使用され、内側の袋状シートは、外側の袋状シートの開口縁部を越えて垂直上方に立ち上げられ、前記支柱もしくは前記壁材に固定する立ち上げ部を有することを特徴とする組み立て式浴槽。
【請求項７】
請求項１に記載の組み立て式浴槽において、
　前記袋状シート下面と寝台上面の間に、浴槽の底面に傾斜をつける楔状枕を配置したことを特徴とする組み立て式浴槽。
【考案の詳細な説明】
【技術分野】
【０００１】
　本考案は、特に介護用等に適する組み立て式浴槽に関する。
【背景技術】
【０００２】
　寝台から起き上がることができない老人等の介護のために、入浴介護サービスと呼ばれるサービスが行われている。介護者は、老人等の介護対象者の寝台の脇まで、浴槽を運び込み、介護対象者を持ち上げて浴槽に入れて入浴させる。入浴後は、浴槽を持ち帰る。浴槽の軽量化のために、浴槽を分解して運搬できるようにしたものも開発されている（特許文献１）。このサービスでは、介護対象者を浴槽に出し入れするために持ち上げる作業のために、少なくとも二人の介護者が必要になる。こうした問題を解消し、一人の介護者でも容易に介護対象者を入浴をさせることができるように、折り畳み式の浴槽が開発されている（特許文献２）。
【０００３】
【特許文献１】特開２００２−３３６１５２
【特許文献２】特開平１１−１５１２７９
【考案の開示】
【考案が解決しようとする課題】
【０００４】
　ところで、上記のような従来の浴槽構造を基礎として技術には、次のような解決すべき課題があった。
１．寝台の上に組み立てた浴槽に、介護対象者を入浴させた場合に、入浴中の湯ゆ飛び散りを防止しなければ、寝具が濡れて、あと始末が必要になる。
２．介護者が介護対象者の洗髪やその他の世話をする場合に、浴槽によりかかったりする力や、浴槽中での介護対象者の動きにより浴槽が揺れて、湯が溢れる場合がある。
３．介護サービスに使用する組み立て式の浴槽は、介護対象者の自宅に運び込まれ、すみやかに組み立てられ、使用後すみやかに解体して運び出す作業が必要になる。介護サービスのために割り当てられた時間を有効に使って、ゆっくりと入浴を楽しむためには、組み立て分解が容易であること、清潔に利用できること、しかも丈夫でコストも安いといった、さらなる要求を満たさなけれはならない。
　本考案は以上の点に着目してなされたもので、寝台上で安定に固定することができ、特に組み立てや分解が容易で、清潔に利用できる、組み立て式浴槽を提供することを目的とする。
【課題を解決するための手段】
【０００５】
　本考案は次の構成により上記の課題を解決する。
　〈構成１〉
寝台側面に立設される支柱と、上記寝台上面に箱状の空間を形成するように立設される壁材と、上記寝台の上面と上記壁材に接し、上部に開口を備え、上記箱状の空間に湯船を形成する、柔軟かつ折り畳み可能な袋状シートと、上記袋状シートの、上記開口の縁部の複数箇所を、上記支柱もしくは上記壁材に固定する固定手段を備えたことを特徴とする組み立て式浴槽。
【０００６】
　壁材は、浴槽使用時に寝台上に組み立てられる。寝台上に折り畳んだ袋状シートを敷いて、利用者を袋状シート上に乗せてから、壁材を組み立て、袋状シートの開口の縁部を立ち上げると、用意に浴槽が完成する。袋状シートが折り畳み可能だから、利用者を寝台に寝かせたまま袋状シートに利用者を乗せて、その後、浴槽状に組み立てることができる。従って、身体の不自由な利用者を浴槽に運び込む作業が不要になるという効果がある。浴槽の底面は、寝台上面の寝具と袋状シートから形成される。袋状シートは柔軟な素材から成り、寝台の上面に接するように敷かれて、浴槽の底面が柔軟になる。故に、一般の浴槽と比較して、利用者の使いごごちが良く、座りも良いという効果がある。寝台側面に立設された支柱は、変形し易い寝台上面に立設される壁材をほぼ水平に支持するためのものである。支柱は１本でも複数本でもよい。これで、浴槽が寝台上で揺れるのを防止できる。箱状の空間は平面あるいは曲面で囲まれていればよい。その形状は任意である。袋状シートは柔軟な素材から成るため、開口縁部の複数箇所を支柱や壁材に固定して、浴槽から湯が溢れるのを防止する。固定手段は任意である。袋状シートは、箱状の空間に固定されて袋状になればよく、袋状に成形されていなくてもよい。例えば、平坦なシートをそのまま使用しても構わない。
【０００７】
　〈構成２〉
構成１に記載の組み立て式浴槽において、上記少なくとも一対の支柱は、寝台の側面または全面または後面に密着して、これら一対の支柱で寝台を挟むように位置決めされて、立設され、上記壁材は、この支柱に壁材の支持高さを調整自在に支持固定されることを特徴とする組み立て式浴槽。
【０００８】
　寝台上の寝具は柔らかいから、その上に組み立てた浴槽は水平を保ちにくく、前後左右に揺れ易い。介護者が壁材越しに利用者の介護をするとき、壁材が寝台上で揺れると浴槽から湯がこぼれる。そこで、支柱により壁材を寝台上に強固に固定するように、支柱を利用する。また、寝台の高さや寝台上の寝具の厚みに応じて、壁材の支持高さを調整できるように、壁材は、この支柱に高さ調整自在に支持固定される。
【０００９】
　〈構成３〉
【００１０】
　壁材を分割できるようにして、運搬を容易にした。また、利用者を寝台上に寝かせたまま浴槽の組み立てをする場合は、壁材が組み立て式のほうが安全である。枠片は、平坦な板片でもよいし、適宜成形されたプラスチック板でもよい。また、棒状体を組み合わせたものでもよい。連結手段は任意である。
【００１１】
　〈構成４〉
　構成１に記載の組み立て式浴槽において、上記支柱は、寝台の脚からなることを特徴とする組み立て式浴槽。
【００１２】
　寝台の脚を支柱として利用する。壁材のうち、例えば、利用者の頭と足の位置にある壁材は、寝台の足に固定するとよい。寝台の頭側と足側にある板等を介して、寝台の足に間接的に固定しても構わない。利用者の左右側方に配置する壁材は頭と足の位置にある壁材に固定するとよい。
【００１３】
　〈構成５〉
　構成１に記載の組み立て式浴槽において、上記袋状シートは２枚重ねで使用され、内側の袋状シートは、外側の袋状シートの開口縁部を越えて、外側の袋状シートを覆うサイズとし、外側の袋状シートよりも柔軟で薄い素材から成ることを特徴とする組み立て式浴槽。
【００１４】
　内側の袋状シートを利用者ごとに交換して、クリーニングすると、感染症を防止し、清潔な入浴サービスができる。しかも、内側の袋状シートは外側のものよりも構造が簡単で薄い素材でできるから、メンテナンスコストも安くなる。外側の袋状シートよりも柔軟で薄い素材から成り、外側の袋状シートの開口縁部を越えるサイズとしたので、内側のシートが外側のシートに密着し、固定手段がなくても袋状の形状を維持できる。
【００１５】
　〈構成６〉
　構成１に記載の組み立て式浴槽において、上記袋状シートは２枚重ねで使用され、内側の袋状シートは、外側の袋状シートの開口縁部を越えて垂直上方に立ち上げられ、前記支柱もしくは前記壁材に固定する立ち上げ部を有することを特徴とする組み立て式浴槽。
【００１６】
　比較的浅い浴槽では、シャワーで洗髪するような場合に、湯が浴槽外部に飛び散り易い。そこで、立ち上げ部分を設けて、一時的に覆いを形成できる構成とした。外側の袋状シートは固定手段を設けるため、構造が複雑に成りやすい。内側の袋状シートは形状の自由度が高いので、単に縁に相当する部分を延長するたけで立ち上げ部分ができる。なお、立ち上げ部分は、その後、湯が冷めないような覆いの役割を果たすことができる。
【００１７】
　〈構成７〉
　構成１に記載の組み立て式浴槽において、上記袋状シート下面と寝台上面の間に、浴槽の底面に傾斜をつける楔状枕を配置したことを特徴とする組み立て式浴槽。
【００１８】
　利用者の頭部を水面上方に支持するのに、この枕を使用する。柔軟な袋状シートを使用するので、浴槽の底面は自由に調整ができる。
【考案を実施するための最良の形態】
【００１９】
　以下、本考案の実施の形態を具体例を用いて説明する。
【００２０】
　図１は、本考案の組み立て式浴槽の使用方法の具体例を示し、（ａ）は寝台の斜視図、（ｂ）と（ｃ）は組み立て式浴槽の組み立て準備中の寝台平面図である。
　本考案の組み立て式浴槽には、柔軟かつ折り畳み可能な袋状のシート２１を浴槽として利用する。図の（ａ）に示すように、利用者１０は、例えばタオル１１などをまとった状態で寝台１の上に寝かされている。寝台１は、ごく一般的な既存のもので、本体台部２の上にマットレスなどの寝具５を敷き、前板３と後板４に支えられた構造になっている。ここで、利用者１０を、図の（ｂ）に示すように、寝台１の一方の側に寄せるように寝かせ、寝台１の上面に袋状シート２１を置く。そして、この袋状シート２１を利用者１０の下に滑り込ませるようにして、図の（ｃ）に示すように、寝具５の上に袋状シート２１を敷いて、その上に利用者１０が横たわる状態にする。
【００２１】
　図２は、本考案の組み立て式浴槽の、袋状シートを支える壁材の構造を示す説明図である。
　（ａ）は壁材の前枠３１と、くさび状の枕５７の斜視図を示す。前枠３１には、二つの貫通孔５３を備えている。ここには、後で（ｄ）で説明する横枠３３の突起５５がはめ込まれる。くさび状の枕５７は、図の（ｂ）に示すように、浴槽の幅とほぼ同程度の幅に選定されている。なお、この枕５７には、介護対象者の頭の落ち着きが良いように、適度に凹凸を設けたり、傾斜の程度を調整することが好ましい。また、寝心地が良いように、若干柔軟な素材によって枕５７を製造することが好ましい。そして、図の（ｃ）に示すように、袋状シート２１と寝具５との間に、枕５７を挟み込む。これによって、利用者１０の頭の位置が持ち上げられる。なお、袋状シート２１は、全体として柔軟な、例えば、ゴムやプラスティック、あるいは防水加工処理をした布により構成される。また、利用者１０の背中の残りの部分と下半身は、袋状シート２１を介して寝具５によって支えられる。このため、非常に当たりが柔らかく、入浴の際に体の姿勢を保ちやすいという効果がある。
【００２２】
　図２の（ｄ）に示すように、横枠３３は、両端に突起５５を備えている。横枠３３の側面には、フック５１が適当な数だけ取り付けられている。このフック５１は、後で説明する要領で、袋状シートの開口縁部を固定するために利用される。また、横枠３３の側面に支柱４４がに固定されている。この支柱４４は、後で説明するように、寝台の高さに合わせて自由に垂直方向に伸縮できる構成になっている。足台４６は、床に傷を付けないためと横枠３３をほぼ水平に保つために設けられている。後枠３２は、図の（ｅ）に示すように、貫通孔５６を備える。これは、横枠３３のもう一方の突起５５をはめ込むために設けられている。なお、この後枠３２の側面には、支柱４４と同様の構成の支柱４２、４３が固定されている。
【００２３】
　図３は、本考案の組み立て式浴槽の全体構造を示すもので、（ａ）はその全体斜視図である。
　図の（ａ）に示すように、この組み立て式浴槽は、前枠３１と後枠３２と横枠３３及び３４を組み合わせて構成される。これらは、はめ込み式あるいはねじ止めやバックル等、様々な着脱機構によって簡便に連結されるとよい。着脱機構を用いたのは、これらを分解して運搬できるようにするためである。また、この図の例では、後枠３２に支柱４２と４３を固定し、横枠３３と横枠３４にそれぞれ支柱４４と支柱４１とを固定して、これら高さを調整することによって、後枠３２と横枠３３の上縁がほぼ水平になるように支持している。これにより、袋状シート２１の開口縁部２３がほぼ水平に保持される。
【００２４】
　故に、前枠３１、後枠３２あるいは横枠３３、３４に、介護者の体が触れたり、介護対象者が浴槽の中で移動したり、湯が揺れて重量バランスがくずれても、袋状シート２１の開口縁部２３がほぼ水平に保持される。一般に、寝台１の上面に設けられた寝具５は柔らかく、この上に組み立て式の浴槽を組み立てると、様々な原因で浴槽が寝台１の上で揺り動かされるおそれがある。上記の構造により、これが防止できる。
【００２５】
　こうして、寝台の上面に箱状の空間２０を形成するように、前枠３１、後枠３２、横枠３３、３４を備えた壁材３０が立設される。この壁材３０が形成した空間２０に、柔軟な袋状シート２１を収容する。こうして、この空間に湯船を形成する。図１で示した袋状シート２１の折り畳まれた縁部２３は、図３に示すように立ち上げられる。壁材３０は、柔軟な袋状シート２１の変形を防止する。前枠３１の傾斜や枕５７の存在によって、空間２０は比較的複雑な形状になるが、ここに袋状シート２１を収容すれば、袋状シートはその空間２０の形に変形して収まる。その後、袋状シート２１の縁部２３に多数設けられたリング２２を、前枠３１、後枠３２、横枠３３、３４に設けられたフック５１に掛ける。こうして、袋状シート２１の形状を維持する。このリング２２とフック５１は固定手段であって、袋状シート２１の縁部２３を壁材３０に固定することができる構造であれば、なんでもよい。できるだけ簡単に着脱できるもの、例えば、面ファスナーやマグネット等も好ましい。
【００２６】
　図４は、本考案の組み立て式浴槽の主要部を示し、（ａ）は図４のＡ−Ａ線に沿った断面図、（ｂ）は後枠３２の後方から見た側面図である。
　ここで、袋状シート２１の縁部２３というのは、袋状シート２１の、リング２２を取りつけた付近全体をいうものとする。従って、図４の（ａ）に示すように、袋状シート２１の縁部２３は、横枠３３、３４の上縁に支えられて、浴槽の長手方向に水平に固定される。また、左右の横枠３３、３４の上縁部の高さもほぼ等しくなければならないが、これは支柱４２、４３の高さ調整により設定する。これで、浴槽内の湯面２６を袋状シート２１の縁部２３の位置以下に保持すれば、湯が溢れ出るおそれがない。前枠３１、後枠３２、の上縁部がこの線よりも高い位置にあれば、その水平度はさほど重要では無くなる。
【００２７】
　また、上記の場合に、支柱４１、４２、４３、４４の長さを容易にかつ正確に調整できる機構が必要になる。この長さ調整機構自体は、例えば、カメラの三脚とか、その他様々な分野で広く利用されている機構を採用すればよい。なお、図４の（ｂ）に示すように、少なくとも一対の支柱４２、４３、あるいは図示しない支柱４１、４４は、寝台の側面または全面または後面に密着して、これら一対の支柱で寝台を挟むように位置決めされることが好ましい。これにより、壁材３０を支柱とともに寝台にしっかりと固定することができ、浴槽の揺れを防止できる。なお、例えば、前枠３１を寝台の一部に強固に固定できれば、寝台の脚が支柱４１、４４の代用になる。そのときは、支柱４１、４４を省略してよい。後枠３２、横枠３３、３４についても、同様で、寝台の一部にこれらを強固に固定して、適宜、支柱を省略することができる。
【００２８】
　図の（ｃ）は、柱の変形例正面図である。また、（ｄ）は、その上面図である。柱の高さは、良く知られた調節ねじにより、調節してから、固定する。また、Ｌ字形に曲げられたアーム９２の上部を蝶番９１を用いて上記いずれかの枠の側面に、回転可能に固定する。アーム９２は、（ｄ）の矢印Ｓに示すように回転させると、台９５と脚９３の位置を幅Ｗだけ横方向にシフトできる。これにより、柱の間隔を調整して、柱を寝台の側面に密着させるとよい。
【００２９】
　上記のような組み立て式浴槽を組み立て、袋状シート２１内に湯を注入して、入浴をすれば、図２の（ｃ）に示したように利用者１０の頭の部分が持ち上げられて、水面より上に出るため、快適に入浴ができる。また、上記のようにして、壁材３０の組み立て構造を簡単なものにすれば、利用者の自宅に手際よく運び込み、短時間で浴槽を組み立て、十分に長い時間入浴をさせることができる。実際に介護サービスは、１日に数件以上の利用者宅を訪問するため、入浴サービス時間は一定の時間に制限されている。従って、可能な限り短時間に浴槽の組み立てと分解ができることが好ましく、上記のような構造によって、より入浴サービスを充実できる。
【００３０】
　ところで、老人介護において、あるいは、この種の寝たきりの介護対象者を含む利用者の介護においては、衛生上の取り扱いが非常に重要になる。入浴の頻度が少ないために湯も油槽も汚れやすい。また、入浴中に失禁のある利用者も存在する。袋状シート２１を複数の利用者のために繰り返して使用すると、様々な感染症の伝染のおそれがある。これには、袋状シート２１を利用者ごとに交換して、袋状シート２１を使い捨てにするか、あるいは、袋状シート２１を１回使用するごとにクリーニングし殺菌消毒をすることが考えられる。ところが、袋状シート２１は壁材３０に接し、リング２２を用いて前枠３１、後枠３２、横枠３３、３４に掛けられるため、丈夫でなくてはならず、使い捨ては非常に不経済になる。また、袋状シート２１は丈夫な分厚い材料で造られ、リング２２等を備えるから、畳んでも嵩高く、クリーニングにも時間がかかる。そこで、次の実施例では二重構造の袋状シートを紹介する。
【００３１】
　図５は、袋状シート２１を二重構造にした実施例を示す斜視図である。
　この図に示すように袋状シート２１にちょうどはまり込むような内側の袋状シート２７を用意する。両者を区別するために、袋状シート２１を外側の袋状シートと呼ぶことにする。この例では例えば、外側の袋状シート２１をテント生地のような比較的丈夫な防水性のシートで製作しておく。これは丈夫だから、壁材３０との接触等で容易に破れることはない。一方、内側の袋状シート２７は、外側の袋状シート２１よりも薄く、可能な限り単純な形状の防水性シートから構成する。内側の袋状シート２７は、外側の袋状シート２１の内側にはめ込んだ時に袋状になればよく、例えば、ほぼ平坦な、何の成型加工もしていない一枚のプラスティックシートであって構わない。また、この内側の袋状シート２７は、図１に示した外側の袋状シート２１と重ねた状態で、利用者１０の背中の下に滑り込ませておき、外側の袋状シート２１と同様の要領で壁材３０に沿って立ち上げる。
【００３２】
　図６は、図４（ｂ）で示したのと同様の浴槽断面図である。
　袋状シートは２枚重ねで使用されるとともに、内側の袋状シート２７は、外側の袋状シート２１の開口縁部２３を越えて、外側の袋状シート２１を覆うサイズとするのが好ましい。これによって、図６の（ａ）に示すように、外側の袋状シート２１を上方から覆い、その汚れを防止する。なお、袋状シート２７は、袋状シート２１に対して、湯の圧力によって全面的に密着するため、袋状シート２７と袋状シート２１の間の滑りが生じない。従って、袋状シート２７の縁部２９に下方に引き下ろすような力がほとんど加わらないから、縁部２９を固定しなくても、その形状を維持することができる。そのため、シート２７の構造は、極めて簡潔になり、製作費用も安く、クリーニングも容易になる。また、殺菌消毒などの処理も容易で、清潔な入浴サービスのためのコストの低減効果がある。もちろん、内側の袋状シート２７が万一破れたとしても、外側の袋状シート２１によって寝具等を濡らすのを防止できる。なお、念のために、例えば、面ファスナー等で外側の袋状シート２１と袋状シート２７とを部分的に固定するとなおよい。
【００３３】
　また、図６の（ｂ）に示すように、内側の袋状シート２７は、外側の袋状シート２１の開口縁部２３を越えて垂直上方に立ち上げられる立ち上げ部２８を有する。立ち上げ部２８は、例えば、支柱４１に一時固定される。この固定方法は任意であるが、例えば、バネ式のクリップ等で仮止めすればよい。この立ち上げ部２８を壁状に立ち上げておくと、例えば、シャワーを使用してシャンプーをしたような場合に、油槽外へ湯等が飛び散るのを防止できる。また、ゆっくりと湯につかる場合に、湯の温度が下がるのを防止するために、図の（ｃ）に示すように、立ち上げ部２８を寝かせて浴槽の一部を覆うといった利用方法も可能である。内側の袋状シート２７に以上のような機能を付与したとしても、その構造を複雑化する必要はない、従って、袋状シートの２層構造によって、油槽の機能を大幅に向上できる。さらに、上記のような袋状シートの２層構造によって、内側の袋状シート２７が浴槽のほぼ全体を覆うから、浴槽の他の部分を清潔に保つことができる。また、内側の袋状シート２７を利用者ごとに毎回クリーニングすることで、感染症の伝染を防止できる。
【００３４】
　本考案の組み立て式浴槽を使用すると、さらに次のようなサービスが可能となる。まず、上記壁材３０の各枠３１、３２、３３、３４を例えば、檜の板で製作すれば、檜の香りがする浴槽となる。利用者にとっても、介護者にとっても、いわゆるアロマテラピー効果が期待できる。さらに、調整槽７４に、例えば、マイナスイオンを発生するためのマイナスイオン発生機９０などを収容することで、湯を活性化したり、既知の様々な効果をもたらすことができる。また、調整槽７４において、各種の浴素を混入することで、より快適な入浴が可能になる。
【図面の簡単な説明】
【００３５】
【図１】本考案の組み立て式浴槽の使用方法の具体例を示し、（ａ）は寝台の斜視図、（ｂ）と（ｃ）は組み立て式浴槽の組み立て準備中の寝台平面図である。
【図２】本考案の組み立て式浴槽の、袋状シートを支える壁材の構造を示す説明図である。
【図３】本考案の組み立て式浴槽の全体構造を示すもので、（ａ）はその全体斜視図である。
【図４】本考案の組み立て式浴槽の主要部を示し、（ａ）は図４のＡ−Ａ線に沿った断面図、（ｂ）は後枠３２の後方から見た側面図である。（ｃ）は、柱の変形例正面図である。
【図５】袋状シート２１を二重構造にした実施例を示す斜視図である。
【図６】図４（ｂ）で示したのと同様の浴槽断面図である。
【符号の説明】
【００３６】
　２０　箱状の空間
　２１　袋状シート
　２３　縁部
　３０　壁材
　３１　前枠
　３２　後枠
　３３、３４　横枠
　４１、４２、４３、４４　支柱
　４６　台
　５１　フック
　５７　くさび状の枕
【図１】
0003099416.tif 000003
【図２】
0003099416.tif 000004
【図３】
0003099416.tif 000005
【図４】
0003099416.tif 000006
【図５】
0003099416.tif 000007
【図６】
0003099416.tif 000008